(57)【要約】【課題】雨天時において、収容された内容物を濡らさずに運搬や保管することが可能であり、しかも取り扱いが容易で、そのうえ安価なフレキシブルコンテナを提供することである。【解決手段】少なくとも上面側に、内容物を通過させるための開口が設けられた、フレキシブルなシート材からなるコンテナ本体１と、このコンテナ本体１の内部に配置されて、内容物を収容する合成樹脂製の内袋２と、上面部および側面部を有し、上記コンテナ本体１の上面および側面を被覆できるよう構成された、不透水性のシート材からなるカバー３と、を具備してなるフレキシブルコンテナ。【選択図】　　図２
2004026202.tif 000002
【特許請求の範囲】
【請求項１】
少なくとも上面側に、内容物を通過させるための開口が設けられた、フレキシブルなシート材からなるコンテナ本体と、
このコンテナ本体の内部に配置されて、内容物を収容する合成樹脂製の内袋と、
上面部および側面部を有し、前記コンテナ本体の上面および側面を被覆できるよう構成された、不透水性のシート材からなるカバーと
を具備してなることを特徴とするフレキシブルコンテナ。
【請求項２】
コンテナ本体は吊り紐を具備してなり、かつ、カバーの側面部には、この吊り紐を外部に摘出するための切欠きが形成されてなることを特徴とする請求項１に記載のフレキシブルコンテナ。
【請求項３】
カバーの側面部には、その切欠きを基点として下方に延びる仮想線に沿って切込みが形成され、カバーの側面部の一部を開閉できるようになっていることを特徴とする請求項２に記載のフレキシブルコンテナ。
【請求項４】
内袋は、上端および下端が開放された筒状のものであり、かつ、コンテナ本体は、上面側に内容物の注入口が設けられ、底面側に内容物の排出口が設けられたものであることを特徴とする請求項１〜請求項３のいずれかに記載のフレキシブルコンテナ。
【発明の詳細な説明】
【０００１】
【発明が属する技術分野】
本発明は、たとえば粉粒体、特に吸水性・吸湿性を有する粉粒体を内容物として収容して、その保管や運搬に使用されるフレキシブルコンテナに関するものである。
【０００２】
【発明が解決しようとする課題】
セメントなどの粉粒体は、周知のとおり、吸水性・吸湿性が非常に高い。このため、ごく一般的なフレキシブルコンテナに収容した状態で、雨の中を運搬しようとすると、セメントは滲み込んできた水分を吸収し、変質してしまうことがある。それゆえ、雨天時の運搬作業には多大な困難を伴う。また、運搬作業時だけでなく、風雨にさらされるような状況下で、セメントをフレキシブルコンテナに収容して一時的に保管する場合についても同様の問題が生じる。
【０００３】
こうした不具合を解決するため、十分な防水性・気密性を有するフレキシブルコンテナが提供されている。だが、同コンテナは、多大なコストや手間を要する特殊な処理（たとえば熱溶着処理やゴム引き加工）を施して得られるものであるため非常に高価である。そのうえ、このフレキシブルコンテナを構成するシート材は、過度に剛強であって柔軟性に乏しいため、取り扱いに支障を来たす。
【０００４】
したがって、本発明が解決しようとする課題は、雨天時において、収容された内容物を濡らさずに運搬や保管することが可能であり、しかも取り扱いが容易で、そのうえ安価なフレキシブルコンテナを提供することである。
【０００５】
【課題を解決するための手段】
本発明は上記の実情に鑑みてなされたものであり、この課題は、
少なくとも上面側に、内容物を通過させるための開口が設けられた、フレキシブルなシート材からなるコンテナ本体と、
このコンテナ本体の内部に配置されて、内容物を収容する合成樹脂製の内袋と、
上面部および側面部を有し、前記コンテナ本体の上面および側面を被覆できるよう構成された、不透水性のシート材からなるカバーと
を具備してなることを特徴とするフレキシブルコンテナによって解決される。
【０００６】
すなわち本発明では、フレキシブルコンテナを、フレキシブルなシート材からなるコンテナ本体、内袋、そしてコンテナ本体の上面および側面を被覆し、コンテナ本体に対して着脱自在なカバーから構成した。こうしたフレキシブルコンテナにあっては、コンテナ本体にカバーが装着された状態であれば、高い防水性が得られ、コンテナ本体内に水が浸入して内容物が濡れることはないので、雨天時であっても運搬作業が容易に行える。また、風雨にさらされるような状況下での内容物の一時保管にも、何ら支障なく対応可能である。殊に、内容物が吸水性・吸湿性の高いセメントなどの粉粒体である場合に、こうした内容物が、水分や湿気を吸収し、変質してしまうといった問題は起きない。
【０００７】
また、本発明に係るフレキシブルコンテナは構造が簡素であり、その製造に際しては、コストや手間のかかる特殊な処理（熱溶着処理やゴム引き加工など）を必要としないので安価にて提供できる。更に言えば、コンテナ本体自体は、一般的なフレキシブルコンテナと同様、柔軟性に富み、それと何ら変わることなく扱える。そして、屋内や雨天時以外においては、カバーをコンテナ本体から取り外して作業を行うことができるので、取り扱いに支障を来たすことはない。総じて言うと、本発明のフレキシブルコンテナは、雨天時において、収容された内容物を濡らさずに運搬や保管することが可能であり、しかも取り扱いが容易で、そのうえ安価にて提供できる。
【０００８】
なお、上記コンテナ本体が吊り紐を具備する場合、カバーの側面部には、この吊り紐を外部に摘出するための切欠きが形成されてなることが好ましい。そして更に、カバーの側面部には、その切欠きを基点として下方に延びる仮想線に沿って切込みが形成され、カバーの側面部の一部を開閉できるようになっていることが好ましい。こうすることで、コンテナ本体の吊り紐を外部に取り出す作業が極めて容易に行えるようになる。すなわち吊り紐を摘出するには、カバーの側面部の一部をいったん開放し、吊り紐をその切欠き内に位置させた後（吊り紐とカバーの側面部とを交錯させた後）、カバーの側面部を元の状態に戻すだけでよい。
【０００９】
これに加えて、本発明のフレキシブルコンテナを構成する内袋としては、上端および下端が開放された筒状のものが、また、コンテナ本体としては、上面側に内容物の注入口が設けられ、底面側に内容物の排出口が設けられたものが、特に好適である。
【００１０】
【発明の実施の形態】
以下、図１〜図５を用いて、本発明の一実施形態を具体的に説明する。ここで、図１は内容物を収容した状態での、本実施形態に係るフレキシブルコンテナの外観図、図２はカバーをコンテナ本体から分離させた状態を示す斜視図、図３は注入口および排出口を開放した状態でのコンテナ本体の側面図、図４は注入口を閉塞した状態でのコンテナ本体の上面図、そして図５は排出口を閉塞した状態でのコンテナ本体の底面図である。
【００１１】
本実施形態に係るフレキシブルコンテナ（以下、本フレキシブルコンテナという）は、たとえばセメントなど高い吸水性・吸湿性を有する粉粒体を内容物として収容して、その運搬や保管に使用されるものである。本フレキシブルコンテナは、図１に加えて図２からもわかるように、概して、フレキシブルなシート材からなるコンテナ本体１と、その内部に配置されている内袋２と、コンテナ本体１よりも僅かに大きな外形寸法を有するカバー３とから構成されている。
【００１２】
このうちコンテナ本体１は、内容物が規定量だけ充填され、密封された状態では円柱状のものとなる。したがってカバー３は、片方の面（上面）が閉塞された有蓋円筒形状となっている。また、図２におけるコンテナ本体側面部の拡大断面からもわかるように、内袋２は内容物（図２中、Ｍで示す）に直に接して、それを収容している。言い換えれば、内容物は、コンテナ本体１の内面を覆う内袋２を介して、このコンテナ本体１内に収まっている。
【００１３】
コンテナ本体１には、その上面側および底面側に、内容物を通過させるための開口がそれぞれ設けられている。更に詳しく言うと、図３に示すごとくコンテナ本体１には、上面側に内容物の注入口１１が設けられ、一方、底面側に内容物の排出口１２が設けられている。両者はともに円筒形状であるが、注入口１１の方が排出口１２よりも大きな径を有している。
【００１４】
ところで、コンテナ本体１内に配置された内袋２は、上端および下端が開放された筒状のものであるが、図３の状態では、コンテナ本体１と内袋２とは、上下の開口をそれぞれ共有することになる。つまり、注入口１１の開口は内袋２の上端側開口となっており、排出口１２を閉塞した状態で注入口１１から投入された内容物は、内袋２の中に収容される。一方、排出口１２の開口は内袋２の下端側開口となっており、内袋２に収容された内容物は、その下端側開口から、したがって排出口１２から外に排出される。
【００１５】
コンテナ本体１は、注入口１１を閉塞し、かつ、その上面を形成する役割を果たす計４枚の蓋押さえ片１３ａ〜１３ｄを具備する。これら蓋押さえ片１３ａ〜１３ｄの先端部には、ループ状の紐１４が通されている。この紐１４には、その有効ループ長を調節するためのスライダー１４ａが組み付けられており、このスライダー１４ａを用いて紐１４を引き絞ることで、蓋押さえ片１３ａ〜１３ｄは互いに近接する。これに先立って注入口１１は、その途中部位を、図示していない紐で強く縛られ、コンテナ本体１の内部に押し込まれることになるので、紐１４を操作することにより、コンテナ本体１の上面は、最終的には図１や図４に示すごとく平坦なものとなる。
【００１６】
ちなみに、内袋２の上端部分は、注入口１１を紐で固縛するのに先立って捻られ、その開口が閉塞されることになる。また、蓋押さえ片１３ａ〜１３ｄによって、格納された注入口１１を被覆するのに先立って、押し潰された状態の注入口１１の上には、その開口径よりもやや小さな径を有する織布製の円盤状の蓋１５が載置されることになる。したがって、上記蓋押さえ片１３ａ〜１３ｄが押さえ付ける蓋とは、この蓋１５である。
【００１７】
また、コンテナ本体１は、排出口１２を閉塞し、かつ、その底面の一部を形成する役割を果たす計４枚の蓋押さえ片１６ａ〜１６ｄを具備する。これら蓋押さえ片１６ａ〜１６ｄの先端部には、ループ状の紐１７が通されており、更にこの紐１７には、その有効ループ長を調節するためのスライダー１７ａが組み付けられている。したがって、このスライダー１７ａを用いて紐１７を引き絞ることで、蓋押さえ片１６ａ〜１６ｄは互いに近接する。これに先立って排出口１２は、その途中部位を、図示していない紐で強く縛られ、コンテナ本体１の内部に押し込まれることになるので、紐１７を操作することにより、コンテナ本体１の底面は、最終的には図５に示すごとく平坦なものとなる。
【００１８】
ちなみに、内袋２の下端部分は、排出口１２を紐で固縛するのに先立って捻られ、その開口が閉塞されることになる。また、蓋押さえ片１６ａ〜１６ｄによって、格納された排出口１２を被覆する際、押し潰された状態の排出口１２と蓋押さえ片１６ａ〜１６ｄとの間には、排出口１２の開口径よりもやや小さな径を有する織布製の円盤状の蓋１８が配置されることになる。したがって、上記蓋押さえ片１６ａ〜１６ｄが押さえ付ける蓋とは、この蓋１８である。
【００１９】
コンテナ本体１は、２本の吊り紐２０，２１を具備する。このうち吊り紐２０の一端は、ガイド２２ａによって位置規制された吊りベルト２３ａの上端に連結されている。一方、吊り紐２０の他端は、ガイド２２ｂによって位置規制された吊りベルト２３ｂの上端に連結されている。特に図示していないが、こうした仕組みについては、吊り紐２１側に関しても同じである。なお本実施形態では、たとえばガイド２２ａの上下２箇所に切込みを形成し、この切込みを利用して吊りベルト２３ａの一部を、ガイド２２ａの下を潜らせることで、吊りベルト２３ａを位置規制している。だが、言うまでもなく、吊りベルトの位置規制にはその他の構造を適宜採用できる。
【００２０】
ちなみに、吊り紐２０に対応する吊りベルト２３ａ，２３ｂと、吊り紐２１に対応する吊りベルト２３ｃ，２３ｄとは、ループ状の紐によって、コンテナ本体１の底面側で連結されている。すなわち図５に示すごとく、コンテナ本体１の底面には排出口１２に対応する領域を取り囲むように、つまりそれぞれが正方形の一辺をなすように計四つのガイド２４ａ〜２４ｄが取り付けられている。更に、これらガイド２４ａ〜２４ｄの全てを挿通した状態となるよう上述したループ状の紐２５が配されている。吊りベルト２３ａ〜２３ｄの下端は、この紐２５に連結され、実質上、全てが結束された状態となっている。
【００２１】
上記コンテナ本体１や内袋２とともに本フレキシブルコンテナを構成するカバー３は、不透水性を有するフレキシブルなシート材からできている。そして、図２などからもわかるように、このカバー３は、欠損のない円形の上面部３１および円筒形状の側面部３２を有し、図１に示すごとくコンテナ本体１に被着させた状態では、このコンテナ本体１の上面および側面を完全に被覆できるよう構成されている。
【００２２】
さて、上述したようにコンテナ本体１は吊り紐２０，２１を具備するが、カバー３の側面部３２の計４箇所には、この吊り紐２０，２１を外部に摘出するための切欠き３３ａ〜３３ｄが形成されている。この切欠き３３ａ〜３３ｄが存在するのは、カバー３をコンテナ本体１に装着した際、吊り紐２０，２１と吊りベルト２３ａ〜２３ｄとの連結部に対応する位置である。
【００２３】
カバー３の側面部３２の計４箇所には、その切欠き３３ａ〜３３ｄを基点として下方に延びる仮想線に沿って、切込み３４ａ〜３４ｄが形成されている。この結果、必要に応じて、カバー３の側面部３２の一部が開閉可能となっている。更に詳しく言うと、側面部３２において切込み３４ａ〜３４ｄが形成された部分は、多少オーバーラップするよう構成されている。すなわち、この切込み３４ａ〜３４ｄを挟んで互いに向き合う二つの縁部のうちの一方が、周方向に延在させられている。そして、外側に位置する縁部の内面には、面ファスナー３５の雄側部材３５ａ（あるいは雌側部材）が取り付けられ、一方、内側に位置する、延在された縁部の外面には、面ファスナー３５の雌側部材３５ｂ（あるいは雄側部材）が取り付けられている。この切込み３４ａ〜３４ｄの存在および面ファスナー３５の接合機能により、カバー３の側面部３２の一部は、上述したように開閉可能となっている。
【００２４】
ちなみに、コンテナ本体１の吊り紐２０，２１を外部に取り出すには、カバー３の側面部３２の一部を図２に示すように、いったん開放し、まず吊り紐２０を切欠き３３ａ内に位置させる。後は、こうした操作を全ての交錯箇所で実施し、カバー３の側面部３２を元の状態に戻せばよい。
【００２５】
ここで参考までに言うと、本実施形態では、コンテナ本体１をポリエチレン製の織布から構成している。ただし、この織布は両面ラミネート加工が施されたものである。また、内袋２は合成樹脂製のフィルムであり、本実施形態では厚さ５０μｍ程度のポリフィルムを採用している。更にカバー３は、コンテナ本体１と同様、ポリエチレン製の織布から構成されており、これも両面ラミネート加工が施されたものである。
【００２６】
さて、本フレキシブルコンテナは、上述したように、フレキシブルなシート材からなるコンテナ本体１、内袋２、そしてコンテナ本体１の上面および側面を被覆し、コンテナ本体１に対して着脱自在なカバー３から構成されている。こうした構造のフレキシブルコンテナは、コンテナ本体１にカバー３が装着された状態であれば高い防水性が得られ、コンテナ本体１内に水が浸入して内容物が濡れることはないので、雨天時であっても運搬作業が容易に行える。また、風雨にさらされるような状況下での内容物の一時保管にも、何ら支障なく対応可能である。殊に内容物が、本実施形態にて収容対象とするセメントのように、吸水性・吸湿性の非常に高い粉粒体である場合、こうした内容物が、水分や湿気を吸収し、変質してしまうといった問題が起きない。
【００２７】
また、本フレキシブルコンテナは、構造が簡素であり、製造に際してコストや手間のかかる特殊な処理（熱溶着処理やゴム引き加工など）を必要としないので、安価にて提供できる。更に言えば、コンテナ本体１体は、ごく一般的なフレキシブルコンテナと同様、柔軟性に富み、それと何ら変わることなく扱える。そして屋内や雨天時以外においては、カバー３をコンテナ本体１から取り外して作業を行うことができるので、その取り扱いに支障を来たすことはない。
【００２８】
【発明の効果】
本発明に係るフレキシブルコンテナは、雨天時において、収容された内容物を濡らさずに運搬や保管することが可能であり、しかも取り扱いが容易で、そのうえ安価にて提供できる。
【図面の簡単な説明】
【図１】内容物を収容した状態での、本発明の実施形態に係るフレキシブルコンテナの外観図
【図２】本発明の実施形態に係るフレキシブルコンテナを、カバーをコンテナ本体から分離させた状態で示す斜視図
【図３】注入口および排出口を開放した状態でのコンテナ本体の側面図
【図４】注入口を閉塞した状態でのコンテナ本体の上面図
【図５】排出口を閉塞した状態でのコンテナ本体の底面図
【符号の説明】
１　　　　　　　　コンテナ本体
２　　　　　　　　内袋
３　　　　　　　　カバー
１１　　　　　　　　注入口
１２　　　　　　　　排出口
１３ａ〜１３ｄ　　　蓋押さえ片
１４　　　　　　　　紐
１４ａ　　　　　　　スライダー
１５　　　　　　　　蓋
１６ａ〜１６ｄ　　　蓋押さえ片
１７　　　　　　　　紐
１７ａ　　　　　　　スライダー
１８　　　　　　　　蓋
２０，２１　　　　　吊り紐
２２ａ，２２ｂ　　　ガイド
２３ａ〜２３ｄ　　　吊りベルト
２４ａ〜２４ｄ　　　ガイド
２５　　　　　　　　紐
３１　　　　　　　　カバーの上面部
３２　　　　　　　　カバーの側面部
３３ａ〜３３ｄ　　　切欠き
３４ａ〜３４ｄ　　　切込み
３５　　　　　　　　面ファスナー
３５ａ　　　　　　　面ファスナーの雄側部材（あるいは雌側部材）
３５ｂ　　　　　　　面ファスナーの雌側部材（あるいは雄側部材）
Ｍ　　　　　　　　内容物（セメント）
【図１】
2004026202.tif 000003
【図２】
2004026202.tif 000004
【図３】
2004026202.tif 000005
【図４】
2004026202.tif 000006
【図５】
2004026202.tif 000007